(57)【要約】音響トランスデューサはオーディオ周波数を持つ入力信号に応答し、第一の軸に沿ってその長さを変える能動素子２１を備える。能動素子は、使用時にある面に係合する脚部２４と慣性マス２０との間に取り付けられている。それにより、能動素子により発生されるオーディオ周波数を持つ振動が面に伝達される。脚部が慣性マスにヒンジ２５結合されており、能動素子は、第一の軸と面の間の角度が使用時９０°未満となるように脚部と慣性マス間に配置されている。
2006511135.tif 000002
【特許請求の範囲】
【請求項１】
オーディオ周波数を持つ入力信号に応答し、第一の軸に沿ってその長さを変える能動素子を備え、前記能動素子は、使用時にある面に係合する脚部と慣性マスとの間に取り付けられ、前記能動素子により発生するオーディオ周波数を持つ振動が前記面に伝達される音響トランスデューサであって、
前記脚部が前記慣性マスにヒンジ結合されており、前記能動素子は、前記第一の軸と前記面の間の角度が使用時に９０°未満となるように前記脚部と前記慣性マスとの間に配置されていることを特徴とする音響トランスデューサ。
【請求項２】
前記角度が４５°以下であることを特徴とする請求項１に記載の音響トランスデューサ。
【請求項３】
前記第一の軸は、使用時、前記面にほぼ平行に延在していることを特徴とする請求項２に記載の音響トランスデューサ。
【請求項４】
前記慣性マスと前記脚部との間の結合手段が弾性的な可とう材料であることを特徴とする請求項１から３のいずれか一項に記載の音響トランスデューサ。
【請求項５】
前記弾性的な可とう材料はコンプライアンスの低い材料であることを特徴とする請求項４に記載の音響トランスデューサ。
【請求項６】
前記材料がバネ鋼であることを特徴とする請求項５に記載の音響トランスデューサ。
【請求項７】
前記脚部の中心が前記音響トランスデューサの重心の真下にあることを特徴とする請求項１から６のいずれか一項に記載の音響トランスデューサ。
【請求項８】
前記慣性マスが一つ又はそれ以上のバッテリ、電気回路網を収容する筐体を備えることを特徴とする請求項１から７のいずれか一項に記載の音響トランスデューサ。
【請求項９】
前記能動素子が磁歪材料で形成されていることを特徴とする請求項１から８のいずれか一項に記載の音響トランスデューサ。
【請求項１０】
前記能動素子が圧電材料で形成されていることを特徴とする請求項１から８のいずれか一項に記載の音響トランスデューサ。
【請求項１１】
少なくとも二つの積層された電磁コイルの影響下にある磁歪素子を備える磁歪アクチュエータであって、
前記積層コイルの周波数応答はそれぞれ異なっており、これらコイルは同時に励起され、前記磁歪アクチュエータは、積層コイルがすべて同じ仕様である場合と比較して、広い周波数帯域を持つことを特徴とする磁歪アクチュエータ。
【請求項１２】
前記積層コイルの巻き数、巻き線の厚み、及び巻き線の抵抗率はそれぞれ異なることを特徴とする請求項１１に記載の磁歪アクチュエータ。
【請求項１３】
前記積層コイルに対する信号はそれそれ異なることを特徴とする請求項１１または１２に記載の磁歪アクチュエータ。
【請求項１４】
第一の能動素子を備え、前記第一の能動素子はオーディオ周波数を持つ入力信号に応答しその長さを変え、前記能動素子は、使用時にパネルの面に係合する脚部と慣性マスとの間に取り付けられており、前記能動素子により発生するオーディオ周波数を持つ振動が前記パネルに伝達される音響信号をパネルに誘導するときに使用する音響アクチュエータであって、
前記慣性マスと前記脚部との間に取り付けられ、前記第一の能動素子の周波数に応答する異なった周波数を持つ第二の能動素子を備えることを特徴とする音響アクチュエータ。
【請求項１５】
前記第一の能動素子が磁歪材料で形成されていることを特徴とする請求項１４に記載の音響アクチュエータ。
【請求項１６】
前記第二の能動素子が磁歪材料で形成されていることを特徴とする請求項１５に記載の音響アクチュエータ。
【請求項１７】
高周波アクチュエータをさらに備えることを特徴とする請求項１４から１６のいずれか一項に記載の音響アクチュエータ。
【請求項１８】
前記高周波アクチュエータが可動コイルアクチュエータであることを特徴とする請求項１７に記載の音響アクチュエータ。
【請求項１９】
前記第二の能動素子は可とうなヨークを備えており、前記ヨークは、磁歪素子の伸縮により前記磁歪素子の縦軸に交軸する方向に前記ヨークが内向き及び外向きの移動を行うように構成されていることを特徴とする請求項１６に記載の音響アクチュエータ。
【請求項２０】
能動素子を有する第一のドライバーを備え、前記能動素子はオーディオ周波数を持つ入力信号に応答し、その長さを変え、前記第一のドライバーは、使用時にパネルに係合する脚部と慣性マスとの間に取り付けられ、前記能動素子により発生するオーディオ周波数を持つ振動が前記パネルに伝達される音響信号を一次パネルに誘導するときに使用する音響アクチュエータであって、
前記慣性マスと前記脚部との間に取り付けられ、前記第一の能動素子の周波数に応答する異なった周波数を持つ第二の能動素子を備えることを特徴とする音響アクチュエータ。
【請求項２１】
前記第一のドライバーが磁歪材料で形成されていることを特徴とする請求項２０に記載の音響アクチュエータ。
【請求項２２】
前記第二のドライバーが可動コイルで形成されていることを特徴とする請求項２０または２１に記載の音響アクチュエータ。
【請求項２３】
前記第二のドライバーが前記第一のドライバーに取り付けられていることを特徴とする請求項２０から２２のいずれか一項に記載の音響アクチュエータ。
【請求項２４】
リアクションマスをさらに備え、
前記リアクションマスはその第一の面に凹部を有し、前記凹部には前記第一のドライバーおよび前記第二のドライバーが配置されており、前記第一の面とは反対側に第二の面を有し、通路が前記凹部と前記第二の面との間に連通していることを特徴とする請求項２３に記載の音響アクチュエータ。
【請求項２５】
前記通路の幅が約４ｍｍであることを特徴とする請求項２４に記載の音響アクチュエータ。
【請求項２６】
前記第二のドライバーが柔軟な取り付け部を介して前記第一のドライバーに取り付けられていることを特徴とする請求項２３から２５のいずれか一項に記載の音響アクチュエータ。
【請求項２７】
前記柔軟な取り付け部は一つ又はそれ以上の弾性部材であることを特徴とする請求項２６に記載の音響アクチュエータ。
【発明の詳細な説明】
【技術分野】
【０００１】
本発明は、例えば、ドライブパネル型の音響ラジェータを駆動するために使用されるタイプの音響アクチュエータに関する。
【背景技術】
【０００２】
磁歪材料で形成されたロッドである能動素子を用いた直接駆動型アクチュエータは周知である。かかるアクチュエータの例としては本出願人の出願にかかる国際公開公報ＷＯ  ０２／０７６１４１に開示され、その権利の主張がなされたものがある。これらアクチュエータの構成は、大きな力を出すが、ある種の適用分野ではその物理的形状が合わない。圧電素子といった他の能動素子は平坦なあるいは細長い形状を持つアクチュエータに組み込むことができ、さらには磁歪アクチュエータには不向きである適用分野への応用が可能である。かかる分野はかなりある。だが、圧電素子の場合、それの発揮する力は比較的に小さい。また、１００Ｖ程度の高電圧を必要とし、約１ｋHｚ以下の音響分野への適用には不向きである。こういった理由で、圧電アクチュエータの使用がなされていないものと思われる。高い駆動力を持つ積層型の圧電アクチュエータの利用は可能である。しかし、このようなアクチュエータは高価であり、製造が難しく、信頼性に問題が発生しがちである。積層の結果としてのその高さもその形状の点で受け入れがたいものとなると思われる。力が大きく、低い形状のアクチュエータに対する要請に対して技術的な回答はなされている。ここでは、米国特許登録第４８４５６８８号明細書に開示されているように、フレックステンショナルな包被体を能動素子の周囲に配置している。この能動素子は磁歪又は圧電エンジンであってよい。しかし、多くの適用分野にとっては、この能動素子は、なおかなり大きい。
【０００３】
従来の軸方向に配列されたアクチュエータは、一般に、内部に取り付けた円筒状のばねを必要としている。このばねは、能動的な材料、例えば、磁歪又は圧電材料の性能の最適化のためにプリテンションを与えるために設けられている。特に、微小化する場合、かかる装置で発生される音響信号のひずみは被駆動面に向けた予知可能でない伸張を行う円筒状スプリングを介して発生し、結果として、オーディオ出力を弱めるオフスクエアな力の発生となることは、実験的に確認されている。
【０００４】
オーディオアクチュエータの構造が異なれば、周波数帯域も異なってくる。これまで広帯域は、ある面、つまり同じ面をそれぞれ別個に駆動する多様なアクチュエータによって達成されてきている。本発明は、広帯域が達成でき、したがってオーディオ出力が改善され、また製造及び設置の全体的なコストを低減できる、単一アクチュエータ内で個別の構成の特徴を組み合わせる幾つかの方法に関する。特定用途向けの特定の力と周波数を得るために、単一のアクチュエータで異なる材料、例えば、圧電材料及び磁歪材料を組み合わせることも公知である。
【０００５】
磁歪型のアクチュエータでは、とりわけ、コイルの設計と磁歪材料片のサイズが任意の面についてのアクチュエータの周波数特性及び音量出力に影響を与えることは周知である。また、アクチュエータが、スタックのコイル間に磁石を持つ単一コイルスタックで構成できることも周知である。
【発明の開示】
【０００６】
本発明のある観点からは下記の音響トランスデューサが提供される。すなわち、オーディオ周波数を持つ入力信号に応答し、第一の軸に沿ってその長さを変える能動素子を備え、該能動素子は、使用時にある面に係合する脚部と慣性マスとの間に取り付けられており、それにより、前記能動素子により発生されるオーディオ周波数を持つ振動が前記面に伝達される音響トランスデューサであって、前記脚部が前記慣性マスにヒンジ結合されており、前記能動素子は、前記第一の軸と前記面の間の角度が使用時９０°未満となるように前記脚部と前記慣性マス間に配置されていることを特徴とする。
【０００７】
本発明では、音響トランスデューサの能動素子は、外的な影響下でその長さを変え、その状態で大きな力を発揮するものであれば、いかなるものでも良い。例えば、積層された圧電素子若しくは磁歪素子、又はそれらの組み合わせがある。
通常に構成された直接駆動型の磁歪アクチュエータの場合、アクチュエータの高さがコイルと磁歪素子の長さに関係してくる。磁歪能動素子を用いた横軸レバーアクチュエータでは、アクチュエータの全高がコイルの長さよりもその断面に関係する。また、力はアクチュエータの短軸方向、つまり磁歪素子又はコイルの長手方向に直角な方向に送られ、もって、本装置の形状は従来の直接駆動型の軸方向構成のものと比べると、非常に低いものとなる。積層型圧電アクチュエータの場合、アクチュエータの全高は圧電スタックの断面である程度抑えられ、装置の駆動力は変位方向とは垂直に送られる。この種の低い形状又はレバーアシスト型のアクチュエータは、現在利用可能な低い形状の圧電アクチュエータと比べて改良された音響周波数帯域と音量を持つ多数の装置に適合し、あるいは、それらは、装置がある面に載置されるときその面を駆動する装置に含ませることもできる。例としては、パーソナルコンピュータ、パーソナルデジタル支援機、ＣＤ、ＭＰ３プレーヤ、そしてモーバイルフォンがある。
【０００８】
剛性材料の制御レバーヒンジを一つの軸に導入することにより、しかし、制御された予測不能な方法で一つの軸のみで曲げる能力をもって、直接駆動又は直角なすべての他の出力の角度のいずれかを与えて、従来のトランスデューサにおける円筒バネによる歪を減少でき、結果としてオーディオ出力が改善される。
他の利点としては、能動素子が慣性マスに作用するときの機械的な利点があり、これが装置のダイナミックレンジレスポンスの増大につながる。その結果、高質で広帯域のオーディオ出力信号の形成が少量の能動材料（高コストとなりがち）で可能となる。
【０００９】
一例を述べると、このようにして製造された磁歪アクチュエータは、パネルを駆動する方向で６ｍｍの場合、試験パネルで測定したとき３０ｍｍである直接駆動型の磁歪アクチュエータと同等な音響出力を出すことができ、そして少量の磁歪材料で済む。能動素子の変位をパネル面の運動に変換する場合、このアクチュエータは直接駆動型アクチュエータより効率的である。また、歪も小さく、さらにダイナミックレンジも広い。
【００１０】
本発明の他の観点からは、下記の磁歪アクチュエータが提供される。すなわち、少なくとも二つの積層された電磁コイルの影響下にある磁歪素子を備える磁歪アクチュエータであって、前記積層コイルの周波数応答はそれぞれ異なっており、これらコイルは同時に励起され、これにより、前記磁歪アクチュエータは、積層コイルがすべて同じ仕様である場合と比較して、広い周波数帯域を持つことを特徴とする。
前記コイルの巻き数、巻き線の厚み、及び巻き線の抵抗率はそれぞれ異ってよい。
各コイルに対する信号は、また交互にそして個別に制御可能である。
【００１１】
本発明のさらに他の観点によれば、下記の音響アクチュエータが提供される。すなわち、第一の能動素子を備え、該第一の能動素子はオーディオ周波数を持つ入力信号に応答しその長さを変え、該能動素子は、使用時にパネルの面に係合する脚部と慣性マスとの間に取り付けられており、それにより、前記能動素子により発生されるオーディオ周波数を持つ振動が前記パネルに伝達される、音響信号をパネルに誘導する場合に使用する音響アクチュエータであって、前記慣性マスと前記脚部との間に取り付けられ、前記第一の能動素子の周波数に応答する異なった周波数を持つ第二の能動素子を備えることを特徴とする。
【００１２】
前記第一の能動素子は磁歪材料で形成可能であり、また前記第二の能動素子も磁歪材料で形成可能である。
この観点からの音響アクチュエータは高周波アクチュエータ、例えば、可動コイルアクチュエータを備えることが可能である。
本発明の他の実施例では、前記第二の能動素子は可とうなヨークを備えており、該ヨークは、磁歪素子の伸縮により前記磁歪素子の縦軸に交軸する方向に前記ヨークが内向き及び外向きの移動を行うように構成されている。
【００１３】
本発明のさらに他の観点からは、下記の音響アクチュエータが提供される。すなわち、該音響アクチュエータは第一のドライバーを備え、該第一のドライバーは能動素子を有し、該能動素子はオーディオ周波数を持つ入力信号に応答し、その長さを変え、前記第一のドライバーは、使用時にパネルに係合する脚部と慣性マスとの間に取り付けられており、それにより、前記能動素子により発生されるオーディオ周波数を持つ振動が前記パネルに伝達される、音響信号を一次パネルに誘導する場合に使用する音響アクチュエータであって、前記慣性マスと前記脚部との間に取り付けられ、前記第一の能動素子の周波数に応答する異なった周波数を持つ第二の能動素子を備えることを特徴とする。
【００１４】
第一のドライバーには磁歪装置が適切あり、また第二のドライバーは、従来のラウドスピーカによく見られる型の可動コイルといった高周波ドライバーが適切である。
好ましくは、本装置はリアクションマスをさらに備え、該リアクションマスはその第一の面に凹部を有し、該凹部には前記ドライバーが配置されており、さらに前記第一の面とは反対側に第二の面を有し、通路が前記凹部と該第二の面との間に連通している。
【００１５】
凹部の内部とリアクションマスの外面との間に開口あるいは通路の形成により、本装置の一部であるパネルラウドスピーカのバス応答が大幅に改良されることが、確認された。これは驚きである。直径が約４ｍｍの円筒の通路が効果的である。しかし、他の形状でもよい。
【発明を実施するための最良の形態】
【００１６】
まず、図１を参照する。能動素子１１は慣性マス又はバックマス１０に対し一般に水平に取り付けられている。慣性マス１０は、固体状態ヒンジとして作用する弾性的に可とうである板１５を介して脚部１４に取り付けられている。軸受け板１６はヒンジに対し垂直に延在し、湾曲軸受け面１２と係合している。湾曲軸受け面１２は能動素子１１の端部に取り付けられている。板ばね１３は軸受け板１６とバックマス１０との間の取り付けられ、制御されたプリテンションを能動素子に与えるようになっている。このように能動素子は水平に駆動作用を行い、そしてアクチュエータはヒンジを使用してこの運動を垂直方向に作用する力に変換する。なお、ヒンジはエネルギーロスを抑えるため固体ヒンジが好ましい。ピン及び／又は軸受け面を持つヒンジは、小さな振幅の運動を伴うため、受け入れ難い損失を発生する。湾曲軸受け面１２は素子の一部、より好ましくはコンプライアンスの低い材料片で構成されるのがよい。
【００１７】
磁歪能動素子の場合、所与の力および磁歪ロッドの断面積については、アクチュエータの高さを、正方形あるいは円形でないが、長方形あるいは楕円形となるように、磁歪ロッドの断面積を変えることで、さらに楕円型のコイルを用いることで、アクチュエータをさらに低くすることが可能である。さらに、大きな断面積を持つ磁歪ロッドを用いるが、断面の寸法一つを維持し、かつ矩形あるいは楕円形の磁歪材料を備えた楕円形のコイルを用いることで、アクチュエータの高さを増大させることなくその力を増大させることが可能である。磁歪素子の各端部にコイルを個別に備えており、このことは、また、アクチュエータの形状を低くすることにつながっている。この場合、その出力は、単一コアに巻いた単一コイルの出力と比べて低くはなる。
【００１８】
図２に示す実施例では、能動素子２１がバックマス２０と脚部２４の立ち上がり部の間に延在している。この立ち上がり部とバックマスの隣接部間にヘリカルばね２３が配置されており、このばねが能動素子２１に対するプレテンションを調整する。なお、能動素子は立ち上がり部に固定してもよく、またこの素子は湾曲軸受け面２２を介してバックマスと係合している。
【００１９】
固体ヒンジ１５又は２５はコンプライアンスの低い材料、例えば、ばね鋼又は高級硬質エンジニアリングポリマーで形成されている。また、エネルギー損失を減らすため、ヒンジを構成する材料の厚みとピボットポイントからヒンジ材料が脚部レバーに取り付けられる点までの距離との比はある値の範囲内とされる。
【００２０】
結果として、アクチュエータの形状は低くなり、大きな力を発揮することができる。さらに、本装置を可変の機械的増幅が可能なように構成でき、従って、更に制御された、そして予測可能に可変な力を出力するように構成できる。図３は、これを図示するための図２に示す装置の変形を示すものであり、図では、同じ構成要素を同じ参照番号で示す。可変の機械的増幅は、接触点２６、２７を、ピボットポイント（接触点２７のような）に向け、そしてそれから（接触点２６のような）離れてアクチュエータの脚部２４と被駆動面の間を移動させることにより得られる。本装置の出力を最適化すには、バックマス２０の位置も接触店の移動と同時に移動させねばならない。機械的増幅は１以下、１と同じ、又は１より大きい値をとることができる。広い周波数帯域を有し、低ひずみであり、そして出力が大きい装置を作るために、設計は柔軟に対応でき、さらに大きな形で使用可能である。
【００２１】
この低い形状を持つアクチュエータの機械的増幅を変えれば、それが取り付けられた装置の周波数応答がかわる。脚部の接触点をピボットポイントに向けて移動することで機械的増幅は引き下げられるが、この機械的増幅の引き下げによって、高域周波数が強調される。また、脚部の接触点をピボットポイントから遠ざけることで機械的増幅は引き上げられ、この引き上げによって、低域周波数が強調される。
このことは、音響装置では、周波数応答は用途によって変更可能であることを意味している。例えば、演説の場合、２００ないし３００Ｈｚ以下の周波数は望ましくない。なぜなら、これらの周波数では、話が聞きづらくなる。他の場合、例えば、音楽を聴く場合では、低周波数が必要である。
【００２２】
本発明の他の実施例では、駆動素子の駆動の方向については、被駆動面に対して任意の角度でよい。例えば、図４及び図５においては、４５°である。この例では、脚部４２は低質量型である。同じ量の能動材料で軸方向駆動型の装置と比較すると、非常に大きな力を出すことは、設計段階で予測され、また確認されている。設計の範囲内で出来うる限りバックマスの実効質量が増大するように、バックマス４０はピボットポイント４５からできるかぎり離して取り付けるべきである。そして、駆動素子の形状が、狭くそして低い形状を要求している用途にとって好適となるように、アクチュエータの寸法の一つは能動素子エンジン４４の断面より大きくはならない。
【００２３】
音響分野では、バックマス１０、２０又は４０を増大させれば、バス応答が増大することは、知られている。だが、バックマスが図１に従い構成されると、装置の効率は低くなる。理由は、多分、たわみ損失によると思われる。音量と周波数応答が落ちることは確認されている。図２又は図３に従いマスを構成すると、効率は上がり、さらに音量とびマス応答が改善される。
【００２４】
バス応答を増大させるの加え、バックマスを増大させることによっても装置の発生する全体の音量レベルは上がる。図６に示すようにバックマス４８の中心に脚部４６を置くことにより音量レベルをさらに最適化できる。バックマス４８は板状ヒンジ４７を介して脚部４６に結合されているが、本実施例では脚部４６は、既に述べた実施例でこの目的を果たす構成部品からの延長部となっている。能動素子４９はこの構成部品の立ち上がり部とバックマス４８との間に延在している。また、湾曲軸受け面５０はバックマスと非着ベアリング接触を行い、ばね５１は能動素子４９に対するプリテンションを制御する。
【００２５】
本装置の全体の形状と重さは取り外し可能なマスを用いることで抑えることができる。必要とされる音量及びバスレベルを得るために必要とされるバックマスは、バッテリ、電気回路、さらに装置のシャーシ／筐体と言った補助攻勢部品によって得ることが可能である。
【００２６】
脚部の設計は、本装置の被駆動面に対する結合にとって非常に重要であり、また、本装置の音量レベルと音質に多かれ少なかれ影響を与える。形状、材料、密度と言った設計項目はすべて検討を必要と項目である。
【００２７】
図７、図８及び図９を参照する。磁歪アクチュエータの周波数範囲は、異なった周波数応答特性を持つ二つ以上のコイルで磁歪素子を囲むことで広げることができる。磁歪アクチュエータの出力は、所望出力に従い周波数スペクトルの異なった部分を強調する多数の手段により変更可能である。例えば、ポテンションメーターを二つのコイルに図７に示すように接続し、各コイルの電流を変更可能である。あるいはコイルにポテンションメーターをそれぞれ接続できる。そうすれば、図７におけるようにコイル間のバランスを変える代わりに、図８、図９に示すようにそれぞれのコイルが独立して可変となる。ポテンションメーターの設定は製造の段階で固定することが可能である。また、その設定を変更することも可能である。この場合、ポテンションメーターをユーザに近づき易くし、そして従来の増幅器／スピーカにおけるトーン制御と同じ仕方で使用する。
【００２８】
これらコイルは別々のボビンそれぞれに又は同じボビンに巻回可能である。同じボビンに巻回するときは、コイルは共軸に巻回するか、別個の層に巻回するか、あるいはボビンの異なった端部に巻回する。
アクチュエータの周波数応答の変更は下記のようにしても行える。すなわち、磁歪材料の寸法又は組成を変え、そして、組み合わせられたアクチュエータの各部の異なるコイル同様に、異なる材料寸法、あるいは異なる磁歪材料を備える。コイルと駆動要素は図１３に示すように並んで構成可能である。あるいは、一般的な方法で積み重ねの形で構成することも可能である。
【００２９】
その他の変形例では、図１０、図１１、図１２に示すようなフレックステンショナルで直接駆動型のアクチュエータを備える。この場合、磁歪材料のコイル及びその大きさは所望の出力に従って選ばれる。図１０の構成が最も有利であるが、他の構成としては、図１１に示すように、直接駆動型駆動要素がフレックステンショナルな駆動要素の上に置かれ、また図１２に示すように駆動要素を並列に配置する。詳しくは、まず、図１０を参照する。アクチュエータは、電磁コイルで巻回された磁歪要素からなるドライバ１０５を備える本体１０４で構成される従来の磁歪アクチュエータであり、永久磁石が初期バイアスを与え、ばねが要素のプリテンションを与えている。フレックステンショナルな要素は弾性変形可能なヨーク１０２で構成されており、このヨークはその中央に分離部を有している。この分離部には、磁歪要素が伸びると分離中央部の二箇所を外側に押すように磁歪ドライバ１０３が取り付けられている。ヨークは、中央部にリンクした二つの外側アームを有しており、中央部の縦方向の変形で、磁歪要素の縦軸をよぎる方向にこれらアームが内向きと外向きの移動を行うようになっている。二つの能動要素１０３、１０５は筐体１０１内に取り付けらており、筐体は装置用のバックマスを構成している。取り付けはねじ１００で行う。結果として、図１０に示す実施例の場合、ヨーク１０２の外側アームが筐体１０１に、そして直接駆動型アクチュエータの本体１０４に取り付けられている。その結果、二つのアクチュエータの組み合わせ効果が、装置が置かれている面に結合される。他の構成が図１１及び図１２に示されている。図１１では、直接駆動であり、かつフレックステンショナルなアクチュエータを垂直方向に単純に反転した形となっている。一方、図１２の実施例では、二つのアクチュエータが広い筐体１０１内に並列して、ねじ切りされた留め具を介して取り付けられている。さらに、これらアクチュエータはそれらの最下端側部で独立した脚部１０６にねじ１００で取り付けられている。
【００３０】
図１３はさらに他の実施例である。本実施例では、二つの直接駆動型アクチュエータ１３２、１３４が筐体１３１と共通脚部１３６間に並列に取り付けられている。各アクチュエータは磁歪ドライバー１３３、１３５をそれぞれ有し、それぞれ異なった周波数応答を持つように構成されている。ここでも、音響周波数での振動の伝達のため、ねじによる接続がなされている。
【００３１】
さらなる変形例を図１４及び図１５に示す。この変形例では、アクチュエータの一つが、異なった周波数応答を持つ他の型のアクチュエータと関連して、本発明の第一の観点から構成された横方向レバーアクチュエータとなっている。図１４の実施例では、図１０を参照してここで述べるようなフレックステンショナルアクチュエータ１４０を備えている。このアクチュエータは筐体１３１と共通脚部１３６との間にねじ１３０で取り付けられている。共通脚部１３６には、一個以上のねじ１３０で脚部に装着された、図２を参照してここで述べる型のレバーアクチュエータ１４１が取り付けられている。図１５の実施例では、フレックステンショナルアクチュエータ１４０を直接駆動型アクチュエータ１５０で置き換えることが可能である。
【００３２】
図１６に本発明の他の観点から構成された装置を示す。この装置では、高音用スピーカが従来のラウドスピーカシステムで使用されていると同じ方法で周波数応答を改善するため、伝統的なスピーカの可動コイルドライバーが磁歪装置に付加されている。本装置は、一般的な従来型の磁歪型音響アクチュエータ１６０で構成されている。該アクチュエータは脚部１６１を有し、該脚部はパネル１６２に係合し、パネルが本装置に供給される音響信号に応答し音を発生するように、音響波をパネルに誘導する。アクチュエータ１６０は、リアクションマス１６３の下面の凹部に取り付けられている。高周波駆動ユニット１６４はリアクションマス１６３の反対面に弾性取り付け部１６５を介して取り付けられている。該弾性取り付け部１６５は二つの装置間の機械的な振動の伝達を弱める。高周波駆動ユニット１６４は、従来のラウドスピーカで一般に使用される型の可動コイルドライバー１６６で構成されている。該可動コイルドライバー１は軽量パネル１６７に結合されている。該パネルは、例えば、硬質で低密度のボードで形成される。穴部１６８がリアクションマス１６３に形成されており、該リアクションマスは凹部の内部と、高周波駆動ユニット１６４が取り付けられている面との間に延在している。この開口あるいは通路１６８の形成により、本装置の一部であるパネルラウドスピーカのバス応答が大幅に改良されていることが、確認された。これは驚きである。前記穴部は可動コイルドライバー１６６と磁歪型音響アクチュエータ１６０との間の電気的な接続ルートを与えるといった二次的な役割も持っている。
【００３３】
２ユニット型のアクチュエータは、例えばバスとトレブルを制御し、３ユニット型のアクチュエータはバス、中音域、そしてトレブルを制御することができる。これらの制御は本装置と一体とすることができ、また入力信号を分離し、周波数を組み立て体の選択された能動素子のみに与えために、外部のクロスオバー回路に組み入れることも可能である。同一アクチュエータ内での個別ユニットの他の組み合わせ及びそれらの数については適宜選択可能である。
【図面の簡単な説明】
【００３４】
【図１】本発明の第１実施例の側面図である。
【図２】他の実施例の類似の図である。
【図４】他の実施例の側面図及び斜視図である。
【図５】他の実施例の側面図及び斜視図である。
【図６】さらに他の実施例の側面図である。
【図７】本発明を他の観点から見た場合の結線構成を示す回路図である。
【図８】本発明を他の観点から見た場合の結線構成を示す回路図である。
【図９】本発明を他の観点から見た場合の結線構成を示す回路図である。
【図１０】本発明をさらに他の観点から見たときのアクチュエータの側面図である。
【図１１】図１０に示すアクチュエータの他の実施例である。
【図１２】図１０に示すアクチュエータの他の実施例である。
【図１３】図１０に示すアクチュエータの他の実施例である。
【図１４】図１０に示すアクチュエータの他の実施例である。
【図１５】図１０に示すアクチュエータの他の実施例である。
【図１６】本発明をさらに他の観点から見たときのラウドスピーカ構成の側面図である。
【図１】
2006511135.tif 000003
【図２】
2006511135.tif 000004
【図３】
2006511135.tif 000005
【図４】
2006511135.tif 000006
【図５】
2006511135.tif 000007
【図６】
2006511135.tif 000008
【図７】
2006511135.tif 000009
【図８】
2006511135.tif 000010
【図９】
2006511135.tif 000011
【図１０】
2006511135.tif 000012
【図１１】
2006511135.tif 000013
【図１２】
2006511135.tif 000014
【図１３】
2006511135.tif 000015
【図１４】
2006511135.tif 000016
【図１５】
2006511135.tif 000017
【図１６】
2006511135.tif 000018
【国際調査報告】
2006511135.tif 000019
2006511135.tif 000020
2006511135.tif 000021
2006511135.tif 000022
2006511135.tif 000023